(57)【要約】【課題】設置対象面に沿うように固定されるベース部材に対するカバー部材の取外性を向上し得るカバー部材の取付構造を提供する。【解決手段】カバー部材の取付構造は、設置対象面２に沿うように固定されるベース部材１０の両側部に反設置対象面側に向けて突出するように設けられた係止片部１１，１２のそれぞれに、カバー部材２０の両側部に対応して設けられた被係止片部２３，２４を外側から被せるように引っ掛けて係止させ、該カバー部材を前記ベース部材に着脱可能に取り付ける構造とされており、前記ベース部材の一方の係止片部１２の基端部から前記設置対象面に沿うように突出させた突片部１３の先端側部位１５と該部位に対向される前記カバー部材の一方の被係止片部２４の先端部の反係止片部側部位２５との間に取外治具６の挿入凹所５が形成され、かつ前記突片部の基端側部位１４と該部位に対向される前記一方の被係止片部の先端部の係止片部側部位２６とが当接される構造とされている。【選択図】図１
2014212226.tif 000002
【特許請求の範囲】
【請求項１】
設置対象面に沿うように固定されるベース部材の両側部に反設置対象面側に向けて突出するように設けられた係止片部のそれぞれに、カバー部材の両側部に対応して設けられた被係止片部を外側から被せるように引っ掛けて係止させ、該カバー部材を前記ベース部材に着脱可能に取り付ける構造とされており、
前記ベース部材の一方の係止片部の基端部から前記設置対象面に沿うように突出させた突片部の先端側部位と該部位に対向される前記カバー部材の一方の被係止片部の先端部の反係止片部側部位との間に取外治具の挿入凹所が形成され、かつ前記突片部の基端側部位と該部位に対向される前記一方の被係止片部の先端部の係止片部側部位とが当接される構造とされていることを特徴とするカバー部材の取付構造。
【請求項２】
請求項１において、
前記カバー部材の一方の被係止片部の先端面を前記設置対象面に対して平行状の平坦面とする一方、前記ベース部材の突片部の先端側よりも厚くした基端側部位を該カバー部材の一方の被係止片部の先端面との当接部としたことを特徴とするカバー部材の取付構造。
【請求項３】
請求項２において、
前記ベース部材の突片部の基端側部位と先端側部位との境界部に段差を設けたことを特徴とするカバー部材の取付構造。
【請求項４】
請求項３において、
前記ベース部材の突片部の基端側部位と先端側部位との境界部の段差面を、斜め反設置対象面側に向くように傾斜面としたことを特徴とするカバー部材の取付構造。
【請求項５】
請求項２乃至４のいずれか１項において、
前記ベース部材の突片部の先端側の反設置対象面側に向く面を、基端側から先端側に向かうに従い設置対象面側に傾斜するように傾斜面としたことを特徴とするカバー部材の取付構造。
【発明の詳細な説明】
【技術分野】
【０００１】
本発明は、設置対象面に沿うように固定されるベース部材へのカバー部材の取付構造に関する。
【背景技術】
【０００２】
種々の機器や部材等を内蔵や収納等する筐体（ハウジング、ケース）のカバーの取付構造としては、ねじ止め等による取付構造があったが、カバーの取り付けや取り外しの際に面倒であるという問題があった。
例えば、下記特許文献１では、カバーとケースとを備えた筐体の固定構造が提案されている。この固定構造は、ケースの対向する部分に、可撓性引掛爪及び剛性引掛爪を設け、これらをカバーの両側の内部側に突出させた係止突起に係合させ、カバーとケースとを固定する構造とされている。また、この固定構造は、可撓性引掛爪を、ケースの側壁との間に隙間をもつように形成し、その隙間の部分に対応させて、ケースの底面にカバーを取り外す際に挿入される操作治具の操作穴を設けた構造とされている。
【先行技術文献】
【特許文献】
【０００３】
【特許文献１】特開平９−２５０５２０号公報
【発明の概要】
【発明が解決しようとする課題】
【０００４】
しかしながら、上記特許文献１に記載された固定構造は、ケースの側壁との間に隙間をもつように形成された可撓性引掛爪とカバーの係止突起との係合状態を解除するために挿入される操作治具の操作穴を、ケースの底面に設けた構造とされている。そのため、例えば、照明器具等のような壁面や天井面等の設置対象面に、カバーの取付対象としてのケース（ベース部材）が沿うように固定されるものでは、適用し難い構造であった。
【０００５】
本発明は、上記実情に鑑みてなされたものであり、設置対象面に沿うように固定されるベース部材に対するカバー部材の取外性を向上し得るカバー部材の取付構造を提供することを目的としている。
【課題を解決するための手段】
【０００６】
上記目的を達成するために、本発明に係るカバー部材の取付構造は、設置対象面に沿うように固定されるベース部材の両側部に反設置対象面側に向けて突出するように設けられた係止片部のそれぞれに、カバー部材の両側部に対応して設けられた被係止片部を外側から被せるように引っ掛けて係止させ、該カバー部材を前記ベース部材に着脱可能に取り付ける構造とされており、前記ベース部材の一方の係止片部の基端部から前記設置対象面に沿うように突出させた突片部の先端側部位と該部位に対向される前記カバー部材の一方の被係止片部の先端部の反係止片部側部位との間に取外治具の挿入凹所が形成され、かつ前記突片部の基端側部位と該部位に対向される前記一方の被係止片部の先端部の係止片部側部位とが当接される構造とされていることを特徴とする。
【０００７】
本発明においては、前記カバー部材の一方の被係止片部の先端面を前記設置対象面に対して平行状の平坦面とする一方、前記ベース部材の突片部の先端側よりも厚くした基端側部位を該カバー部材の一方の被係止片部の先端面との当接部としてもよい。
また、本発明においては、前記ベース部材の突片部の基端側部位と先端側部位との境界部に段差を設けてもよい。
また、本発明においては、前記ベース部材の突片部の基端側部位と先端側部位との境界部の段差面を、斜め反設置対象面側に向くように傾斜面としてもよい。
また、本発明においては、前記ベース部材の突片部の先端側の反設置対象面側に向く面を、基端側から先端側に向かうに従い設置対象面側に傾斜するように傾斜面としてもよい。
【発明の効果】
【０００８】
本発明に係るカバー部材の取付構造は、上述のような構成としたことで、設置対象面に沿うように固定されるベース部材に対するカバー部材の取外性を向上させることができる。
【図面の簡単な説明】
【０００９】
【図１】（ａ）は、本発明の一実施形態に係るカバー部材の取付構造の一例及び同取付構造が適用される筐体の一例を備えた照明器具の一例を模式的に示し、図２（ａ）におけるＸ−Ｘ線矢視に対応させた一部省略概略縦断面図、（ｂ）は、（ａ）に対応させた概略分解縦断面図である。
【図２】（ａ）、（ｂ）は、いずれも同照明器具を模式的に示し、（ａ）は、概略斜視図、（ｂ）は、概略分解斜視図である。
【図３】（ａ）は、図１（ａ）におけるＹ部に対応させた一部破断概略縦断面図、（ｂ）、（ｃ）は、同取付構造の一変形例をそれぞれ模式的に示す（ａ）に対応させた一部破断概略縦断面図である。
【発明を実施するための形態】
【００１０】
以下に本発明の実施の形態について、図面に基づいて説明する。
図１〜図３は、本実施形態に係るカバー部材の取付構造の一例及びその変形例並びに同取付構造が適用される筐体の一例を備えた照明器具の一例を模式的に示す図である。
なお、一部の図では、他図に付している詳細な符号の一部を省略している。
【００１１】
本実施形態に係るカバー部材の取付構造は、図１に示すように、設置対象面２に沿うように固定されるベース部材１０に、カバー部材２０を着脱可能に取り付ける構造とされている。これらベース部材１０及びカバー部材２０は、種々の機器や部材等を内蔵や収納等する筐体（ハウジング、ケース）を構成する。
本実施形態では、設置対象面を、住居等の建物内の垂直面状の壁面２としているが、天井面や床面等としてもよく、また、屋外の壁面等としてもよい。また、収納家具等の上面や下面、側面、内面等を設置対象面としてもよい。
【００１２】
また、本実施形態では、カバー部材の取付構造を、図２に示すように、それぞれに長尺状とされたベース部材１０及びカバー部材２０を備えた照明器具１の筐体（照明ケース）に適用した例を示している。
図１では、この照明器具１を、その出射方向が下向きとなるように壁面２に沿わせるように固定した例を示しているが、このような態様に限られない。例えば、照明器具１を、出射方向が上向きとなるように壁面２に沿わせるように固定したり、出射方向が横向きとなるように天井面等に沿わせるように固定したりしてもよい。また、この照明器具１の設置態様としては、天井面と壁面２との入隅部に沿わせるように設置するようにしてもよい。また、この照明器具１は、このような間接照明として設置されるものに限られず、直接照明として設置されるものとしてもよい。
【００１３】
また、照明器具１は、ベース部材１０及びカバー部材２０を備えた筐体内に収容される発光ユニット３０を備えている。
この発光ユニット３０は、図２（ｂ）に示すように、長尺状とされており、当該照明器具１の略全長に亘る発光部を有している。この発光ユニット３０は、長手方向両端部または一端部（図例では、両端部）に、光源を構成する発光素子としてのＬＥＤ（発光ダイオード）等を有した基板を保持する基板保持部３１，３１を備えている。また、発光ユニット３０は、この光源からの光を導光し、出射する発光部としての棒状導光体を収容する導光ケース３２を備えている。棒状導光体は、詳細な説明は省略するが、光源が対向配置される長手方向端面の入射面から入射された光を、反射部や反射面によって反射させ、長手方向に沿って導光しながら、出射面から出射する構造とされている。
【００１４】
この発光ユニット３０は、棒状導光体の出射面が、当該照明器具１の出射方向に応じた向きとなるように、ベース部材１０に固定され、当該照明器具１の略全長に亘ってライン状に概ね一様に出射する構成とされている。
また、発光ユニット３０は、図１及び図２（ｂ）に示すように、ねじ等の止具４によってベース部材１０に固定するようにしてもよい。図例では、導光ケース３２の一側部（図例では、上側部）に止具４が挿通される固定片を設け、この固定片に挿通した止具４によってベース部材１０に発光ユニット３０を固定した例を示している。
【００１５】
なお、図１では、発光ユニット３０を断面図とせずに、側面図として図示している。
また、照明器具１の発光ユニット３０としては、このようなエッジライト方式（導光方式）のＬＥＤユニットに限られない。例えば、当該照明器具１の長手方向に沿って長尺とされた略帯板状の基板に、複数の光源としてのＬＥＤ等を長手方向に沿って間隔を空けて設けた発光ユニット３０としてもよい。また、発光ユニット３０の光源としては、ＬＥＤ等の発光素子に限られず、蛍光管等を発光部として設けるようにしてもよい。
【００１６】
ベース部材１０は、反壁面側に向けて突出するように両側部にそれぞれ設けられた係止片部１１，１２を備えている。つまり、これら係止片部１１，１２は、壁面２に対して略直交する方向に沿って突出するように形成されている。
また、本実施形態では、ベース部材１０を、長尺状の略帯板状とし、その幅方向両側部に、対状に係止片部１１，１２を設けた構造としている。
これら係止片部１１，１２は、ベース部材１０の全長に亘って設けられている。また、これら係止片部１１，１２の突出方向先端部には、係止部１１ａ，１２ａがそれぞれに設けられている。図例では、これら係止片部１１，１２の各係止部１１ａ，１２ａを、ベース部材１０の幅方向外方側に向けて突出する係止突部１１ａ，１２ａとした例を示している。これら係止突部１１ａ，１２ａは、それぞれの係止片部１１，１２の全長に亘って設けられたものとしてもよい。
【００１７】
また、ベース部材１０には、これら係止片部１１，１２のうちの一方の係止片部１２としての幅方向一側部（図例では、下側部）側の第２係止片部１２の基端部から壁面２に沿うように突出する突片部１３が設けられている。
この突片部１３は、第２係止片部１２の基端部からベース部材１０の幅方向外方側に向けて突出するように形成されている。また、この突片部１３は、ベース部材１０の全長に亘って設けられている。なお、ベース部材１０の長手方向に間隔を空けて複数箇所に突片部１３を設けたような態様としてもよい。また、この突片部１３の詳細については後述する。
【００１８】
また、ベース部材１０には、発光ユニット３０を当該ベース部材１０に固定する止具４が止着される固定部１６と、当該ベース部材１０を壁面２に固定する止具３の止着部の目印（誘い）となる凹溝１７と、が設けられている。固定部１６としては、雌ねじ穴等としてもよい。また、図例では、断面略Ｖ字状の凹溝１７を、ベース部材１０の上側部位に当該ベース部材１０の長手方向に延びるように設けた例を示している。なお、このような凹溝１７に代えて、止具挿通孔を設けるようにしてもよい。また、発光ユニット３０のベース部材１０への固定態様及びベース部材１０の壁面２への固定態様としては、止具３，４によって固定する態様に限られず、接着剤や粘着テープ等の粘着材によって固定する態様としてもよい。
【００１９】
また、ベース部材１０には、当該ベース部材１０を厚さ方向に貫通する配線用開口１８が設けられている。この配線用開口１８は、ベース部材１０の長手方向に沿って間隔を空けて複数箇所に設けるようにしてもよい。また、この配線用開口１８を介して壁面２を構成する壁体内に配線された電源コード等を筐体内に導入し、発光ユニット３０に接続するようにしてもよい。
また、ベース部材１０は、金属系材料や合成樹脂系材料等から上記形状に一体的に形成されたものとしてもよい。
【００２０】
カバー部材２０は、長手方向両外方側に向けて開口した形状とされており、ベース部材１０に取り付けられた状態では、これらベース部材１０とカバー部材２０とによって長手方向両端が開口した略筒型形状となる構成とされている。照明器具１は、これら長手方向両端の開口を覆うエンドキャップ２９，２９を備えている。これらエンドキャップ２９，２９は、図２に示すように、カバー部材２０の長手方向両端部及び開口を覆うように形成されている。また、ベース部材１０の長手方向両端部には、これらエンドキャップ２９，２９を保持するキャップ保持部１９，１９がそれぞれに設けられている。なお、図１では、エンドキャップ２９やキャップ保持部１９の図示を省略している。
【００２１】
また、カバー部材２０は、壁面２側に向けて突出するように両側部にそれぞれ設けられた被係止片部２３，２４を備えている。これら被係止片部２３，２４は、ベース部材１０の係止片部１１，１２に対応して設けられている。本実施形態に係るカバー部材の取付構造は、ベース部材１０の係止片部１１，１２のそれぞれに、カバー部材２０の被係止片部２３，２４を外側から被せるように引っ掛けて係止させ、カバー部材２０をベース部材１０に着脱可能に取り付ける構造とされている。つまり、ベース部材１０の幅方向一側部側の第２係止片部１２に、カバー部材２０の幅方向一側部側の第２被係止片部２４を引っ掛けて係止させる構造としている。また、ベース部材１０の幅方向他側部側の第１係止片部１１に、カバー部材２０の幅方向他側部側の第１被係止片部２３を引っ掛けて係止させる構造としている。
【００２２】
本実施形態では、カバー部材２０を、ベース部材１０と同様、長尺状とし、その幅方向両側部に、対状に被係止片部２３，２４を設けた構造としている。このカバー部材２０の長さ寸法は、ベース部材１０の長さ寸法と略同寸法とされている（図２（ｂ）参照）。
これら被係止片部２３，２４は、カバー部材２０の全長に亘って設けられている。また、これら被係止片部２３，２４の突出方向先端部には、ベース部材１０の係止片部１１，１２の各係止部（係止突部）１１ａ，１２ａにそれぞれ係止される被係止部２３ａ，２４ａがそれぞれに設けられている。図例では、これら被係止片部２３，２４の各被係止部２３ａ，２４ａを、カバー部材２０の幅方向内方側に向けて突出する被係止突部２３ａ，２４ａとした例を示している。これら被係止突部２３ａ，２４ａは、それぞれの被係止片部２３，２４の全長に亘って設けられたものとしてもよい。なお、係止片部１１，１２の係止部１１ａ，１２ａ及び被係止片部２３，２４の被係止部２３ａ，２４ａとしては、このような態様に限られず、いずれか一方を、凹溝状の係止凹部（被係止凹部）等としてもよく、その他、種々の態様とされた係止部及び被係止部の採用が可能である。
【００２３】
また、本実施形態では、カバー部材２０を、壁面２側に向けて開口する機器収容空間を設けた断面略コ字状（略Ｕ字状または略Ｃ字状）の形状とし、その幅方向両側の側壁部を被係止片部２３，２４としている。また、図例では、第１被係止片部２３の突出寸法（当該照明器具１の厚さ方向に沿う寸法）を、第２被係止片部２４の突出寸法よりも小さい寸法としている。また、これら第１被係止片部２３と第２被係止片部２４とを連結するように設けられた前側壁部２１，２２を、壁面２と平行状に配される平坦状壁部２１と傾斜壁部２２とからなる構成としている。平坦状壁部２１は、第２被係止片部２４の基端部に連なるように形成されている。傾斜壁部２２は、この平坦状壁部２１の幅方向一側部側の端部に連なるように形成され、第１被係止片部２３に向かうに従い壁面２側に向けて傾斜するような形状とされている。なお、カバー部材２０の前側壁部２１，２２は、このような態様に限られず、適宜、変形可能である。
【００２４】
また、本実施形態では、カバー部材２０の第２被係止片部２４の少なくとも発光ユニット３０の出射方向先側に配される部位を、透光性を有したものとしている。本実施形態では、カバー部材２０の第２被係止片部２４の全体を、透光性材料から形成されたものとし、カバー部材２０の他の部位を非透光性材料から形成されたものとしている。第２被係止片部２４は、アクリル樹脂やポリカーボネート樹脂等の透光性を有した樹脂系材料や透明の樹脂系材料等から形成されたものとしてもよい。また、第２被係止片部２４は、乳白色等に着色されて透光性を有したものとしてもよい。また、この第２被係止片部２４と他の部位とは、例えば、二色（異材質）押出成形等によって一体的に形成されたものとしてもよく、または、適宜、接着等によって接合一体化されたものとしてもよい。さらには、カバー部材２０の全体を、透光性を有したものとしてもよい。
【００２５】
また、図例では、第２被係止片部２４の内面側に、幅方向に沿って間隔を空けて複数のプリズム状の反射突条からなる配光パターンを設けた例を示している。この配光パターンは、当該照明器具１から出射される出射光を壁面２側に配光するように形成されたものとしてもよく、その他の方向に配光するように形成されたものとしてもよい。なお、このような配光パターンを第２被係止片部２４に設けないようにしてもよい。
また、カバー部材２０の第２被係止片部２４を概ね除く表面側部位を覆うように、化粧シート（フィルム）２７を貼着した構造としている。なお、このような化粧シート２７を貼着した態様に代えて、塗装等によって表面化粧処理を施すようにしてもよく、さらには、このような表面化粧処理を施さないようにしてもよい。
【００２６】
また、第１被係止片部２３は、図１（ａ）に示すように、カバー部材２０が壁面２に固定されたベース部材１０に取り付けられた状態で、その先端部が壁面２に当接または近接される構造とされている。この第１被係止片部２３の先端部は、先端に向かうに従い先細り状となるように、その内面側が傾斜面とされている。
第２被係止片部２４は、カバー部材２０がベース部材１０に取り付けられた状態で、その先端部がベース部材１０の突片部１３に対向される構造とされている。
【００２７】
本実施形態に係るカバー部材の取付構造は、図１（ａ）及び図３（ａ）に示すように、ベース部材１０の突片部１３の先端側部位１５とこの先端側部位１５に対向されるカバー部材２０の第２被係止片部２４の先端部の反係止片部側部位としての外側部位２５との間に取外治具６の挿入凹所５が形成される構造とされている。
この挿入凹所５は、ベース部材１０にカバー部材２０を取り付けた状態で形成される。この挿入凹所５の深さ寸法（突片部１３の突出方向に沿う寸法）や幅寸法（ベース部材１０の厚さ方向に沿う寸法）は、マイナスドライバー等の取外治具６の先端の挿入性や、ベース部材１０に対するカバー部材２０の取外性等の観点から適宜、設定するようにしてもよい。また、このような観点から、ベース部材１０の突片部１３の突出寸法及びカバー部材２０の第２被係止片部２４の厚さ寸法（突片部１３の突出方向に沿う寸法）を適宜、設定するようにしてもよい。図例では、突片部１３の突出寸法を、被係止突部２４ａを含む第２被係止片部２４の先端部の厚さ寸法よりも僅かに大きい寸法とした例を示しているが、突片部１３の突出寸法と第２被係止片部２４の先端部の厚さ寸法とを略同寸法等としてもよい。
【００２８】
また、本実施形態に係るカバー部材の取付構造は、ベース部材１０の突片部１３の基端側部位１４とこの基端側部位１４に対向されるカバー部材２０の第２被係止片部２４の先端部の係止片部側部位としての内側部位２６とが当接される構造とされている。なお、図３（ａ）では、ベース部材１０の突片部１３の基端側部位１４とカバー部材２０の第２被係止片部２４の先端部の内側部位２６との間に、僅かな隙間（クリアランス）を設けたように図示しているが、取り付けられた状態では、当接される構造とされている。また、ベース部材１０及びカバー部材２０の成形誤差等を考慮してこのような僅かなクリアランスが形成される態様も含めて当接される構造として把握するようにしてもよい。
【００２９】
また、本実施形態では、カバー部材２０の第２被係止片部２４の先端面２４ｂを、図３（ａ）に示すように、壁面２に対して平行状の平坦面としている。図例では、第２被係止片部２４の被係止突部２４ａの先端側面の一部を先端面２４ｂに含むように平坦面とした例を示している。この第２被係止片部２４の先端面２４ｂは、ベース部材１０の突片部１３の基端側部位１４の反壁面側に向く面（基端側当接面）１３ａに少なくとも一部が当接するように形成されている。
また、本実施形態では、ベース部材１０の突片部１３の先端側よりも厚くした基端側部位１４をカバー部材２０の第２被係止片部２４の先端面２４ｂとの当接部としている。つまり、ベース部材１０の突片部１３の先端側を基端側部位１４よりも薄くし、挿入凹所５を形成する構造としている。
【００３０】
また、本実施形態では、ベース部材１０の突片部１３の基端側部位１４と先端側部位１５との境界部に段差を設けている。この段差の段差面１３ｂが、挿入凹所５の底側を構成することとなる。
また、本実施形態では、この段差面１３ｂを、斜め反壁面側に向くように傾斜面とし、傾斜段差面１３ｂとしている。つまり、壁面２と平行状の平坦面とされたベース部材１０の突片部１３の基端側当接面１３ａとこの傾斜段差面１３ｂとのなす角を鈍角としている。図例では、この傾斜段差面１３ｂを、カバー部材２０の第２被係止片部２４の被係止突部２４ａの先端側面と平行状に形成した例を示している。
【００３１】
また、本実施形態では、ベース部材１０の突片部１３の先端側の反壁面側に向く面１３ｄを、基端側から先端側に向かうに従い壁面２側に傾斜するように傾斜面とし、先端側傾斜面１３ｄとしている。また、本実施形態では、この先端側傾斜面１３ｄと傾斜段差面１３ｂとの間に、壁面２と平行状の平坦面とされた平坦部１３ｃを設けている。この平坦部１３ｃは、突片部１３の他の反壁面側表面に比べて、幅寸法（突片部１３の突出方向に概ね沿う寸法）が小さく形成されている。
また、先端側傾斜面１３ｄは、この平坦部１３ｃとのなす角が、基端側当接面１３ａと傾斜段差面１３ｂとのなす角よりも大きな鈍角となるように形成されている。つまり、壁面２を基準として、傾斜段差面１３ｂよりも先端側傾斜面１３ｄが緩やかに形成されている。
【００３２】
上記構造とされた取付構造においては、壁面２に固定されたベース部材１０にカバー部材２０を取り付ける際には、以下のように取り付けるようにしてもよい。図１（ｂ）に示すように、カバー部材２０の一方の被係止片部（第２被係止片部）２４をベース部材１０の一方の係止片部（第２係止片部）１２に引っ掛けるようにして被係止突部２４ａを係止突部１２ａに係止させる。そして、カバー部材２０を長手方向軸廻りに回動させ、カバー部材２０の他方の被係止片部（第１被係止片部）２３をベース部材１０の他方の係止片部（第１係止片部）１１に引っ掛けるようにして被係止突部２３ａを係止突部１１ａに係止させる。これにより、図１（ａ）に示すように、カバー部材２０が壁面２に固定されたベース部材１０に取り付けられる。
【００３３】
上記のようにカバー部材２０を壁面２に固定されたベース部材１０に取り付けた状態では、ベース部材１０の突片部１３の先端部を除く概ね全体がカバー部材２０によって覆われた状態となる。また、この状態では、図３（ａ）に示すように、ベース部材１０の突片部１３の傾斜段差面１３ｂ、平坦部１３ｃ及び先端側傾斜面１３ｄとカバー部材２０の第２被係止片部２４の先端面２４ｂの外側部位２５とによって突片部１３の突出方向と同方向に向けて開口した挿入凹所５が形成される。
このように壁面２に固定されたベース部材１０に取り付けられたカバー部材２０は、以下のように取り外すようにしてもよい。図１（ａ）に示すように、挿入凹所５に取外治具６を挿入し、ベース部材１０の各係止片部１１，１２やカバー部材２０の弾性変形を伴いながら、取外治具６を取り外し側へ操作してカバー部材２０を取り外すようにしてもよい。
【００３４】
本実施形態に係るカバー部材の取付構造は、上述のような構成としたことで、設置対象面としての壁面２に沿うように固定されるベース部材１０に対するカバー部材２０の取外性を向上させることができる。
つまり、壁面２に沿うように固定されるベース部材１０の両側部に、反壁面側に向けて突出するように係止片部１１，１２を設け、カバー部材２０の両側部に、これら係止片部１１，１２に対応させて被係止片部２３，２４を設けた構造としている。また、カバー部材２０のこれら被係止片部２３，２４を、ベース部材１０の対応する係止片部１１，１２のそれぞれに外側から被せるように引っ掛けて係止させ、カバー部材２０をベース部材１０に取り付ける構造としている。従って、ねじ等の止具によってカバー部材をベース部材に取り付ける構造としたものと比べて、ベース部材１０に対するカバー部材２０の取付性を向上させることができる。また、カバー部材２０の被係止片部２３，２４がベース部材１０の係止片部１１，１２のそれぞれに外側から被せられ、これら係止片部１１，１２を目立ち難くすることができる。これにより、例えば、ベース部材１０側には表面化粧処理を施さずに、表面側に露出するカバー部材２０側のみに表面化粧処理を施すようなこともできる。
【００３５】
また、ベース部材１０の一方の係止片部１２の基端部から壁面２に沿うように突出し、カバー部材２０の一方の被係止片部２４の先端部に対向される突片部１３を設けている。また、この突片部１３の先端側部位１５とこの先端側部位１５に対向されるカバー部材２０の一方の被係止片部２４の先端部の反係止片部側部位（外側部位）２５との間に取外治具６の挿入凹所５が設けられる構造としている。従って、この挿入凹所５に、取外治具６の先端を挿入し、取り外し側へ操作することで、カバー部材２０を容易に取り外すことができる。また、挿入凹所５の壁面２側にはベース部材１０の突片部１３が設けられているので、このようにカバー部材２０を取り外す際にも、取外治具６による壁面２の損傷等を防止することができる。
【００３６】
また、ベース部材１０の突片部１３の基端側部位１４とこの基端側部位１４に対向されるカバー部材２０の一方の被係止片部２４の先端部の係止片部側部位（内側部位）２６とが当接される構造としている。従って、壁面２の損傷等の防止や取外性の向上が可能でありながらも、ベース部材１０に取り付けた状態におけるカバー部材２０のがたつきを抑制することができる。つまり、ベース部材１０とカバー部材２０との間に取外治具６の挿入凹所５を設けた構造としながらも、挿入凹所５に隣接するこれらの一部が当接される構造とすることで、がたつきを抑制することができる。また、このようながたつきを防止するために互いに当接する部位を別の箇所に設けることも考えられるが、このようなものと比べて構造の簡略化を図ることができ、また、より効果的にがたつきを抑制することができる。
【００３７】
また、本実施形態では、カバー部材２０の一方の被係止片部２４の先端面２４ｂを壁面２に対して平行状の平坦面とする一方、ベース部材１０の突片部１３の先端側よりも厚くした基端側部位１４をカバー部材２０の一方の被係止片部２４の先端面２４ｂとの当接部としている。従って、例えば、カバー部材２０の一方の被係止片部２４の先端面を、挿入凹所５の開口側に向かうに従い反壁面側に傾斜する傾斜面としたようなものと比べて、取外治具６を取り外し側へ操作する際における先端面への取外治具６の掛かり性を向上させることができる。
【００３８】
また、本実施形態では、ベース部材１０の突片部１３の基端側部位１４と先端側部位１５との境界部に段差を設けた構造としている。従って、例えば、突片部１３の先端側部位１５の全体を、後記する第２変形例（図３（ｃ）参照）のように、挿入凹所５Ｂの開口側に向かうに従い壁面２側に傾斜する傾斜面１３ｅとして挿入凹所５Ｂを形成するようなものと比べて、取外治具６の先端を挿入凹所５に深く差し込むことができ、取外性をより向上させることができる。
【００３９】
また、本実施形態では、ベース部材１０の突片部１３の基端側部位１４と先端側部位１５との境界部の段差面を、斜め反壁面側に向くように傾斜面とし、傾斜段差面１３ｂとしている。この段差面を、後記する第１変形例（図３（ｂ）参照）のように、壁面２に直交し、挿入凹所５Ａの開口側に向くような平坦面とした場合には、カバー部材２０がベース部材１０Ａ側に押圧等された際に、カバー部材２０の一方の被係止片部２４の外側への変形を伴いこの被係止片部２４の先端が突片部１３Ａの先端側部位１５Ａに落ち込み異音が発生することが考えられる。一方、上記のような傾斜段差面１３ｂとすれば、段差形状として取外性の向上が可能でありながらも、カバー部材２０をベース部材１０側に押圧した際に生じる異音等の発生を抑制することができる。
【００４０】
また、本実施形態では、ベース部材１０の突片部１３の先端側の反壁面側に向く面を、基端側から先端側に向かうに従い壁面２側に傾斜するように傾斜面とし、先端側傾斜面１３ｄとしている。従って、この先端側傾斜面１３ｄを取外治具６の先端を挿入凹所５に挿入する際における誘いとして機能させることができ、取外性をより向上させることができる。
また、本実施形態では、この先端側傾斜面１３ｄと段差面（本実施形態では、傾斜段差面）１３ｂとの間に、平坦部１３ｃを設けている。従って、突片部１３の先端側部位１５の反壁面側に向く面の全面を傾斜面とした場合と比べて、取外治具６を取り外し側へ操作する際における取外治具６の先端の滑り等を抑制することができ、取外性をより向上させることができる。
【００４１】
次に、本実施形態に係るカバー部材の取付構造の変形例について、図３（ｂ）、（ｃ）を参照して説明する。
なお、以下の各変形例では、上記した例との相違点について主に説明し、同様の構成については、同一符号を付し、その説明を省略または簡略に説明する。
【００４２】
図３（ｂ）は、第１変形例に係るカバー部材の取付構造を模式的に示す図である。
本変形例では、ベース部材１０Ａの突片部１３Ａの基端側部位１４と先端側部位１５Ａとの境界部の段差面１３Ａｂを、壁面２に直交し、挿入凹所５Ａの開口側に向くような平坦面としている。本変形例においても、傾斜段差面１３ｂを設けたことによる効果を除いて上記した例と概ね同様の効果を奏する。また、本変形例によれば、上記した例と比べて、取外治具６の先端を挿入凹所５Ａにより効果的に深く差し込むことができる。
【００４３】
図３（ｃ）は、第２変形例に係るカバー部材の取付構造を模式的に示す図である。
本変形例では、ベース部材１０Ｂの突片部１３Ｂの基端側部位１４と先端側部位１５Ｂとの境界部に段差を設けずに、先端側部位１５Ｂの反壁面側に向く面の全面を傾斜面１３ｅとし、挿入凹所５Ｂを形成する構造としている。この傾斜面１３ｅは、上記した各例における先端側傾斜面１３ｄと概ね同様、比較的に緩やかな傾斜面とされている。本変形例においても、段差面１３ｂ，１３Ａｂを設けたことによる効果を除いて上記した各例と概ね同様の効果を奏する。また、本変形例によれば、上記した各例と比べて、カバー部材２０をベース部材１０Ｂ側に押圧した際に生じる異音等の発生をより効果的に抑制することができる。
なお、本変形例では、突片部１３Ｂの先端側部位１５Ｂの反壁面側に向く面を、平坦状の傾斜面１３ｅとした例を示しているが、凹湾曲面等としてもよい。
【００４４】
また、上記した各例では、ベース部材１０，１０Ａ，１０Ｂの一方の係止片部１２の基端部に設けた突片部１３，１３Ａ，１３Ｂの先端側部位１５，１５Ａ，１５Ｂとカバー部材２０の一方の被係止片部２４の先端部の外側部位２５との間に挿入凹所５，５Ａ，５Ｂが形成される構造とした例を示しているが、このような態様に限られない。このような態様に代えて、または加えて、ベース部材１０，１０Ａ，１０Ｂの他方の係止片部１１の基端部に、上記同様の突片部を設け、この突片部の先端側部位とカバー部材２０の他方の被係止片部２３の先端部の外側部位との間に、上記同様の挿入凹所が形成される構造としてもよい。この場合は、ベース部材１０，１０Ａ，１０Ｂの他方の係止片部１１の突片部の基端側部位とカバー部材２０の他方の被係止片部２３の先端部の内側部位とが当接される構造とすればよい。
【００４５】
また、上記した各例では、ベース部材１０，１０Ａ，１０Ｂの突片部１３，１３Ａ，１３Ｂの基端側部位１４を先端側よりも厚くして挿入凹所５，５Ａ，５Ｂを形成する構造とした例を示しているが、このような態様に限られない。このような態様に代えて、または加えて、カバー部材２０の一方の被係止片部２４の先端部の外側部位２５を、内側部位２６よりも当該被係止片部２４の突出方向基端側へ凹ませることで、挿入凹所を形成する構造としてもよい。
また、上記した各例では、ベース部材１０，１０Ａ，１０Ｂの突片部１３，１３Ａ，１３Ｂの先端側の反壁面側に向く面を、基端側から先端側に向かうに従い壁面２側に傾斜するように傾斜面１３ｄ，１３ｅとした例を示しているが、壁面２に対して平行状の平坦面としてもよい。
【００４６】
また、本実施形態では、カバー部材の取付構造を、単一のベース部材１０（１０Ａ，１０Ｂ）と単一のカバー部材２０とを備えた照明器具１の筐体に適用した例を示しているが、このような態様に限られない。単一または複数のベース部材１０（１０Ａ，１０Ｂ）に対して複数のカバー部材２０を取り付ける構造としてもよい。
また、本実施形態では、これらベース部材１０（１０Ａ，１０Ｂ）及びカバー部材２０を長尺状とし、その幅方向の両側部に、互いに係止する係止片部１１，１２及び被係止片部２３，２４を設けた例を示しているが、このような態様に限られない。例えば、長手方向の両側部に、互いに係止する係止片部及び被係止片部を設けた態様としてもよい。
また、ベース部材１０（１０Ａ，１０Ｂ）及びカバー部材２０としては、このような長尺状とされたものに限られず、種々の形状とされたものとしてもよい。また、ベース部材１０（１０Ａ，１０Ｂ）の厚さ方向に見て、略矩形状とされたベース部材１０（１０Ａ，１０Ｂ）及びカバー部材２０に限られず、例えば、その他の略多角形状や略円形状等とされたものとしてもよい。この場合は、互いに係止する係止片部及び被係止片部を、概ね対状にベース部材１０（１０Ａ，１０Ｂ）及びカバー部材２０のそれぞれに設けるようにしてもよい。
【００４７】
また、本実施形態では、カバー部材の取付構造を、照明器具１の筐体に適用した例を示しているが、このような態様に限られない。設置対象面２に沿うように固定されるベース部材１０，１０Ａ，１０Ｂに対してカバー部材２０を取り付ける構造とされたものであれば、種々の筐体（ケース、ハウジング）に適用可能である。例えば、火災警報器や住宅情報盤、インターホン、各種センサー等の筐体（ケース、ハウジング）に適用してもよく、また、配線や配管等を収容するダクト等にも適用可能である。
【符号の説明】
【００４８】
２                    壁面（設置対象面）
５，５Ａ，５Ｂ        挿入凹所
６                    取外治具
１０，１０Ａ，１０Ｂ  ベース部材
１１                  第１係止片部
１２                  第２係止片部（一方の係止片部）
１３，１３Ａ，１３Ｂ  突片部
１３ｂ                傾斜段差面
１３ｄ，１３ｅ        先端側傾斜面（先端側の反設置対象面側に向く面）
１４                  基端側部位（当接部）
１５，１５Ａ，１５Ｂ  先端側部位
２０                  カバー部材
２３                  第１被係止片部
２４                  第２被係止片部（一方の被係止片部）
２４ｂ                先端面
２５                  先端部の外側部位（反係止片部側部位）
２６                  先端部の内側部位（係止片部側部位、当接部）
【図１】
2014212226.tif 000003
【図２】
2014212226.tif 000004
【図３】
2014212226.tif 000005